(57)【要約】【課題】消費者が転倒したりする危険性を小さくして安全に商品を取り出すことができる自動販売機を提供する。【課題手段】自動販売機の前面に、Ｕ字形に折り曲げられたアーム部６１とアーム部６１の間の掴み部６２とからなる握り棒６を補助手段として配設して、消費者が購入した商品を取り出す動作を介助する。なお、アーム部６１の両端を自動販売機の前扉２に取付けることができ、この補助手段において、アーム部６１の両端は自動販売機の前扉２に設けた取付け穴７に摺動可能に挿入したうえに、そのアーム部６１の一端に前扉の開放防止用のロック機構８を設ける。また、アーム部６１の両端を自動販売機下部に配置した台板９に軸着して、自動販売機の前面に前傾可能に立設するなどしてもよい。【選択図】    図５
2004220097.tif 000002
【特許請求の範囲】
【請求項１】
自動販売機の前面に、消費者が購入した商品を取り出す動作を介助するための補助手段を配設したことを特徴とする自動販売機。
【請求項２】
補助手段は、棒状の掴み部と、該掴み部の両端がＵ字形に折り曲げられたアーム部とからなる握り棒であって、前記アーム部の両端が自動販売機の前扉に取付けられている請求項１に記載の自動販売機。
【請求項３】
アーム部の両端は自動販売機の前扉に設けた取付け穴に摺動可能に挿入されているうえに、そのアーム部の一端には前扉の開放防止用のロック機構が設けられている請求項２に記載の自動販売機。
【請求項４】
補助手段は、棒状の掴み部と、該掴み部の両端がＵ字形に折り曲げられたアーム部とからなる握り棒であって、その両端が自動販売機下部に配置した台板に軸着されて自動販売機の前面に前傾可能に立設されているうえに、前記アームの一端には握り棒の前傾を制止するロック機構が設けられている請求項１に記載の自動販売機。
【請求項５】
補助手段は、棒状の掴み部と、該掴み部の両端に折り曲げて形成されたＬ字形のアーム部とからなる握り棒であって、その両端が自動販売機の天井面又は左右の側面に突設した軸支部材に軸着されて自動販売機の前面に上方回動可能に配設されているうえに、前記アームの一端には握り棒の回動を制止するロック機構が設けられている請求項１に記載の自動販売機。
【請求項６】
補助手段は、棒状の掴み部と、該掴み部の両端がＵ字形に折り曲げられたアーム部とからなる握り棒であって、前記アーム部の一端を自動販売機の一側に設けた取付け板に回動可能に軸着し、その他端には前扉の開放防止片を設けて握り棒を垂設した請求項１に記載の自動販売機。
【発明の詳細な説明】
【０００１】
【発明の属する技術分野】
本発明は、高齢者や弱者等が商品の取出しを安全に行うことのできる自動販売機に関するものである。
【０００２】
【従来の技術】
ジュースや缶ビール、タバコなどの自動販売機は、一般に商品の取出し口がその下部の方にあって腰を屈めるなどして姿勢を崩さないと商品を取り出すことが困難である。また、自動販売機は屋外に設置されている場合が多く、設置面に凹凸があったり、ごみ、空き缶などが散乱したりして足場が悪いことがある。また、雨でぬれたり雪が積もったりした場合には足がスリップしやすく足元が不安定であるにもかかわらず、従来の自動販売機には転倒防止などの対策はほとんど講じられてきてはいない。
このような転倒防止などの対策を施したものの１つとして、発明者らは特開２００１−１２９２３８号公報に開示されているような、高齢者の立ち上がりを介助するための補助手段を配置した遊技機を先に発明したが、自動販売機においても、高齢者や弱者保護の面から転倒防止などの対策が施されたものが切望されている。
【０００３】
【特許文献】特開２００１−１２９２３８号公報
【０００４】
【発明が解決しようとする課題】
本発明は上記した従来の問題点を解決し、高齢者を始めとする消費者が転倒などする危険性を小さくして安全に商品を取り出すことができる自動販売機を提供するためになされたものである。
【０００５】
【課題を解決するための手段】
上記の課題を解決するためになされた本発明の自動販売機は、自動販売機の前に、消費者が購入した商品を取り出す動作を介助するための補助手段を配設したことを特徴とするものである。なお、補助手段は、水平状の掴み部と、該掴み部の両端がＵ字形に折り曲げられたアーム部とからなる握り棒であって、前記アーム部の両端を自動販売機の前扉に取付けることができ、この補助手段において、アーム部の両端は自動販売機の前扉に設けた取付け穴に摺動可能に挿入されているうえに、そのアーム部の一端には前扉の開放防止用のロック機構が設けられたものとすることができる。
【０００６】
また、補助手段は、棒状の掴み部と、該掴み部の両端がＵ字形に折り曲げられたアーム部とからなる握り棒であって、その両端が自動販売機下部に配置した台板に軸着されて自動販売機の前面に前傾可能に立設されているうえに、前記アームの一端には握り棒の前傾を制止するロック機構が設けられたものとすることができ、また、補助手段は、棒状の掴み部と、該掴み部の両端に折り曲げて形成されたＬ字形のアーム部とからなる握り棒であって、その両端が自動販売機の天井面又は左右の側面に突設した軸支部材に軸着されて自動販売機の前面に上方回動可能に配設されているうえに、前記アームの一端には握り棒の回動を制止するロック機構が設けられたものとすることができる。さらに、補助手段は、棒状の掴み部と、該掴み部の両端がＵ字形に折り曲げられたアーム部とからなる握り棒であって、前記アーム部の一端を自動販売機の一側に設けた取付け板に回動可能に軸着し、その他端には前扉の開放防止片を設けて握り棒を垂設することができる。
【０００７】
【発明の実施の形態】
以下に図面を参照しつつ本発明の好ましい実施形態を説明する。図１〜４は本発明の第１の実施形態の自動販売機を示す図であって、１は自動販売機本体であって、この本体１には前扉２が開閉自在に軸着されている。３は硬貨の投入口、４は商品の選択ボタン群、５は商品の取出し口であって、この取出し口５の上方に握り棒６が取付けられている。握り棒６は、パイプや鉄棒などの棒材の両端が同方向にＵ字形に折り曲げられたアーム部６１と、アーム部６１の間の掴み部６２とからなるものであって、図では前扉２に設けた二つの取付け穴７に掴み部６２を水平にしてアーム部６１の両端が摺動可能に嵌め込まれている。なお、１０は前扉２を閉鎖状態にロックする鍵穴式の施錠部である。
【０００８】
握り棒６の詳細を図５に示すが、アーム部６１の両端には補助リング６７が嵌め込まれていて、この補助リング６７は前扉２の表側に当接する。アーム部６１の一方の端部には太径リング６８が嵌められていて、この太径リング６８は前扉２の裏面に当接し、補助リング６７と対になって前扉２を挟む。太径リング６８に挿し込まれたアーム部６１の先端には抜け止め用部材６９が取付けられている。
【０００９】
アーム部６１の他方の端部には先端にかけて細く縮径部６０が形成されていて、この隣に垂直面を有する環状溝６３が形成されている。自動販売機本体１内の環状溝６３の上方位置には、この環状溝６３と係合してアーム部６１をロックする電気制御式のロック機構８が設けられている。このロック機構８はソレノイド８１によってピン８２が上下する構造であって、ピン８２は環状溝６３に適合する形状に先端斜めに形成されている。そして、ピン８２が押し下げられた状態で握り棒６を押圧してアーム部６１を後方に摺動することによって、ピン８２の先端は縮径部６０の斜面を相対的に滑り移動してピン８２が環状溝６３に嵌め込まれる。ピン８２の嵌め込みによって握り棒６をロックすることができるので、施錠部１０におけるロックとともに前扉２を２重にロックすることができて、従来よりも確実に不正な開放を防止することができる。なお、ロック機構８は電気的ロック機構であっても機械的ロック機構であってもよい。
【００１０】
以上のように、通常はロック機構８により握り棒６は確実にロックされているために、消費者が購入した商品を取り出すときにこの握り棒６に掴まることによって不安定な姿勢を支えることができるので、消費者は安全に商品を取り出すことができる。一方、商品の補充や硬貨の回収などで前扉２を開放する場合には、施錠部１０のロックを解除したうえに、図６のようにピン８２を上げて環状溝６３との係合を解除する。次いで、図７に示すように握り棒６を手前に引くことにより前扉２を開放することができる。
【００１１】
なお、握り棒６は前扉２に螺着などにより固定することができ、また、握り棒６の取付け方向は垂直であっても、或いは斜めであってもよい。また、握り棒６の本数も１本に限定されるものでなく、２本以上の適宜な本数設けることができる。
【００１２】
図８〜１１に第２の実施形態の自動販売機を示す。この実施形態においては、Ｕ字形の握り棒６は、掴み部６２に前扉２に当接するスペーサー６４が設けられたものであって、自動販売機の下部に固定して配置された台板９に回動可能に軸着されている。握り棒６は、通常は図８に示すように自動販売機の前に起立された状態で電磁的ロック機構などによりロックされているので、商品を取り出す際に消費者はこの握り棒６に掴まって安全に商品を取り出すことができる。又、握り棒６が前扉２の回動を制止するので、不心得者の不正を従来より確実に防止することができる。硬貨の回収、商品の補充などにより前扉２を開けるときには、ロックを解除して図１０のように握り棒６を水平状に前傾させることによって、握り棒６が前扉２の前から退却されるので前扉２を開放することができる。なお、ロック機構として、例えばピン８２の先端を鋭角に尖らせて、一方のアーム６１にはピン８２の挿入孔を設けて、この孔にピン８２を電磁的に挿し込むことによっても握り棒６の回動を制止してロックすることができる。
【００１３】
第３の実施形態の自動販売機を図１２〜１５に示す。本体１の天上面１１には軸支部材６５が一組配設されている。握り棒６は、掴み部６２と、該掴み部６２の両サイドに折り曲げて形成されたＬ字型のアーム部６１とからなるうえに、掴み部６２には前扉２に当接するスペーサ６４が設けられている。そして、アーム部６１の端部は前記軸支部材６５に回動可能に軸着されている。握り棒６は、通常は図１２に示すように自動販売機の前に垂設された状態で電磁的にロックされているが、必要により前扉２を開けるときには、ロックを解除して図１４のように握り棒６を上方に回動させることによって、前扉２を開放することができる。
【００１４】
また、図１６〜１９は、軸支部材６５を自動販売機の左右の側面１２に設けた第４の実施形態を示す図であって、Ｌ字形のアーム部６１が掴み部６２に対して、第３の実施形態の握り棒６とは逆方向に略直角に折り曲げられているほかは、主要な構成は第３の実施形態と同じである。しかし、Ｌ字形のアーム部６１を第３の実施形態と同方向に延設しても同様な効果を得ることができる。第３、第４の何れの実施形態においてもロックされた握り棒６は前扉２の開放を制止する。
【００１５】
また、図２０〜２３に示す第５の実施形態の自動販売機において、握り棒６は、前扉２の開放側の側面１２に縦方向に配設された取付け板９１に掴み部６２を略垂直として設けられている。この実施形態において握り棒６は、アーム部６１の上端が取付け板９１に電磁式ロック機構によりロック可能に軸着されていて、自動販売機に対して前後方向に回動する。アーム部６１下端には前扉２の開放防止片６６が固定してある。通常は、握り棒６はロックされて垂直方向に固定されているので消費者はこれに掴まって体を支えることができる。また、前扉２に配設した鍵穴１０と開放防止片６６との２重ロックにより前扉２が不正に開放されるのを制止することができる。そして、前扉２を開放するときは、鍵穴１０によるロックを解除した後に、握り棒６を図２３に示すように上方に回動して開放防止片６６を前扉２から退却させればよい。なお、握り棒６は下端が自動販売機の横方向に回動するものとしても何ら差し支えはない。
【００１６】
【発明の効果】
以上に説明したように本発明の自動販売機は、自動販売機の前に、Ｕ字形に折り曲げられたアーム部と該アーム部の間の掴み部とからなる握り棒を補助手段として配設したので、消費者が商品を取り出す時の姿勢を介助することができる。アーム部の両端を自動販売機の前扉に設けた取付け穴に摺動可能に挿入したうえに、アーム部の一端には前扉の開放防止用のロック機構を設けたので、従来の鍵穴式の施錠との２重ロックにより前扉の不正な開放をより確実に防止することができる。
したがって、本発明は高齢者等の消費者が転倒などしたりすることなく安全に商品を取り出すことができるという大きな利点を有するものである。
【図面の簡単な説明】
【図１】第１の実施形態の自動販売機を示す正面図である。
【図２】第１の実施形態の自動販売機を示す平面図である。
【図３】第１の実施形態の自動販売機において前扉が開放された状態を示す平面図である。
【図４】第１の実施形態の自動販売機を示す側面図である。
【図５】ロックされた握り棒の斜視図である。
【図６】ロックが解除された握り棒の斜視図である。
【図７】握り棒を手前に引き抜く状態を説明する斜視図である。
【図８】第２の実施形態の自動販売機を示す正面図である。
【図９】第２の実施形態の自動販売機を示す平面図である。
【図１０】第２の実施形態の自動販売機において前扉が開放された状態を示す平面図である。
【図１１】第２の実施形態の自動販売機を示す側面図である。
【図１２】第３の実施形態の自動販売機を示す正面図である。
【図１３】第３の実施形態の自動販売機を示す平面図である。
【図１４】第３の実施形態の自動販売機において前扉が開放された状態を示す平面図である。
【図１５】第３の実施形態の自動販売機を示す側面図である。
【図１６】第４の実施形態の自動販売機を示す正面図である。
【図１７】第４の実施形態の自動販売機を示す平面図である。
【図１８】第４の実施形態の自動販売機において前扉が開放された状態を示す平面図である。
【図１９】第４の実施形態の自動販売機を示す側面図である。
【図２０】第５の実施形態の自動販売機を示す正面図である。
【図２１】第５の実施形態の自動販売機を示す平面図である。
【図２２】第５の実施形態の自動販売機において前扉が開放された状態を示す平面図である。
【図２３】第５の実施形態の自動販売機を示す側面図である。
【符号の説明】２  前扉
６  握り棒（補助手段）
６１  アーム部
６２  掴み部
７  取付け穴
８  ロック機構
９  台板
【図１】
2004220097.tif 000003
【図２】
2004220097.tif 000004
【図３】
2004220097.tif 000005
【図４】
2004220097.tif 000006
【図５】
2004220097.tif 000007
【図６】
2004220097.tif 000008
【図７】
2004220097.tif 000009
【図８】
2004220097.tif 000010
【図９】
2004220097.tif 000011
【図１０】
2004220097.tif 000012
【図１１】
2004220097.tif 000013
【図１２】
2004220097.tif 000014
【図１３】
2004220097.tif 000015
【図１４】
2004220097.tif 000016
【図１５】
2004220097.tif 000017
【図１６】
2004220097.tif 000018
【図１７】
2004220097.tif 000019
【図１８】
2004220097.tif 000020
【図１９】
2004220097.tif 000021
【図２０】
2004220097.tif 000022
【図２１】
2004220097.tif 000023
【図２２】
2004220097.tif 000024
【図２３】
2004220097.tif 000025